(57)【要約】【課題】  表示品質を向上させるための導光板と、これを具備したバックライトアセンブリー及び表示装置が開示される。【解決手段】  導光板は、入射面及び第１出射面を含む。入射面は、外部から光の入射を受ける。第１出射面は、第１領域と第２領域を具備して入射面を通じて入射された光のうち、ガイドされた光を出射するものの、第２領域に形成された第１光制御パターンを通じて入射された光を第１領域の方にガイドする。これによって輝線を改善して概観上品質を向上させることができる。【選択図】    図２
2006120591.tif 000002
【特許請求の範囲】
【請求項１】
外部から光の入射を受ける入射面と、
第１領域と第２領域を具備して前記入射面を通じて入射した光のうち、ガイドされた光を出射し、前記第２領域に形成された第１光制御パターンを通じて前記入射した光を前記第１領域の方にガイドする第１出射面と、を含むことを特徴とする導光板。
【請求項２】
前記第３領域と第４領域を具備して前記入射面を通じて入射した光のうち、ガイドされた光を出射し、前記第４領域に形成された第２光制御パターンを通じて前記入射した光を前記第３領域の方にガイドする第２出射面を更に含むことを特徴とする請求項１記載の導光板。
【請求項３】
前記第２出射面には、第３光制御パターンが形成されたことを特徴とする請求項２記載の導光板。
【請求項４】
前記第１光制御パターンは、前記入射面から遠くなるほど分布密度が大きくなることを特徴とする請求項１記載の導光板。
【請求項５】
前記第１光制御パターンは、前記入射面から遠くなるほど大きさが小さくなることを特徴とする請求項１記載の導光板。
【請求項６】
前記第１光制御パターンは、前記入射面と平行な方向に溝が形成されたグルーブ形状であることを特徴とする請求項１記載の導光板。
【請求項７】
前記第１光制御パターンは、ドット形状であることを特徴とする請求項１記載の導光板。
【請求項８】
前記第１光制御パターンは、前記第１出射面の基準面から突出し、互いに異なる高さを有する複数のパターンであることを特徴とする請求項１記載の導光板。
【請求項９】
前記第１光制御パターンは、前記第１出射面の基準面から陥没し、互いに異なる高さを有する複数のパターンであることを特徴とする請求項１記載の導光板。
【請求項１０】
前記第１光制御パターンは、所定の曲率を有し、互いに連結された複数の円弧を含むことを特徴とする請求項１記載の導光板。
【請求項１１】
前記第２光制御パターンは、一側端部が互いに接した２つの直線で形成された複数のパターンを含むことを特徴とする請求項１記載の導光板。
【請求項１２】
前記第２光制御パターンは、前記入射面から遠くなるほど分布密度が大きくなることを特徴とする請求項２記載の導光板。
【請求項１３】
前記第２光制御パターンは、前記入射面から遠くなるほど大きさが小さくなることを特徴とする請求項２記載の導光板。
【請求項１４】
前記第２光制御パターンは、前記入射面と平行な方向に溝が形成されたグルーブ形状であることを特徴とする請求項２記載の導光板。
【請求項１５】
前記第２光制御パターンは、ドット形状であることを特徴とする請求項２記載の導光板。
【請求項１６】
前記第２光制御パターンは、前記第２出射面の基準面から突出し、互いに異なる高さを有する複数のパターンであることを特徴とする請求項２記載の導光板。
【請求項１７】
前記第２光制御パターンは、前記第２出射面の基準面から陥没し、互いに異なる高さを有する複数のパターンであることを特徴とする請求項２記載の導光板。
【請求項１８】
前記第２光制御パターンは、所定の曲率を有し、互いに連結された複数の円弧を含むことを特徴とする請求項２記載の導光板。
【請求項１９】
前記第２光制御パターンは、一側端部が互いに接する２つの直線で形成された複数のパターンを含むことを特徴とする請求項２記載の導光板。
【請求項２０】
光を発生する光源と、
第１領域と第２領域を具備して入射面を通じて入射した光のうち、ガイドされた光を出射し、前記第２領域に形成された第１光制御パターンを通じて前記入射した光を前記第１領域の方にガイドする第１出射面を含む導光板を含むことを特徴とするバックライトアセンブリー。
【請求項２１】
前記光源は、複数の点光源であることを特徴とする請求項２０記載のバックライトアセンブリー。
【請求項２２】
前記第１出射面から出射した第１光の輝度を均一にする第１光学部材を更に含むことを特徴とする請求項２０記載のバックライトアセンブリー。
【請求項２３】
前記導光板は、
第３領域と第４領域を具備して入射面を通じて入射した光のうち、ガイドされた光を出射し、前記第４領域に形成された第２光制御パターンを通じて前記入射した光を前記第３領域の方にガイドする第２出射面を更に含むことを特徴とする請求項２０記載のバックライトアセンブリー。
【請求項２４】
前記第２出射面から出射した第２光の輝度を均一にする第２光学部材を更に含むことを特徴とする請求項２３記載のバックライトアセンブリー。
【請求項２５】
前記第２出射面から出射した第２光の一部を反射し、前記第２光の他の一部を透過する半透過部材を更に含むことを特徴とする請求項２３記載のバックライトアセンブリー。
【請求項２６】
前記第１光制御パターンは、所定の曲率を有し、互いに連結された複数の円弧を含むことを特徴とする請求項２０記載のバックライトアセンブリー。
【請求項２７】
前記円弧の中心線は、前記点光源に対応することを特徴とする請求項２６記載のバックライトアセンブリー。
【請求項２８】
前記第１光制御パターンは、一側端部が互いに接する２つの線で形成された複数のパターンを含むことを特徴とする請求項２０記載のバックライトアセンブリー。
【請求項２９】
前記２つの直線が互いに接する部分は、前記点光源に対応することを特徴とする請求項２８記載のバックライトアセンブリー。
【請求項３０】
画像を表示する第１表示領域と光を遮断する第１遮光領域を具備した第１表示パネルと、
光源から前記第１表示領域に前記光を出射し、前記第１遮光領域に対応して第１光制御パターンが形成された第１出射面を具備した導光板を有するバックライトアセンブリーと、を含むことを特徴とする表示装置。
【請求項３１】
画像を表示する第２表示領域と前記光を遮断する第２遮光領域を具備した第２表示パネルを更に含むことを特徴とする請求項３０記載の表示装置。
【請求項３２】
前記導光板は、
前記第２遮光領域に対応して第２光制御パターンが形成された第２出射面を更に含むことを特徴とする請求項３０記載の表示装置。
【請求項３３】
前記第２出射面から出射した光のうち、一部を反射し、前記光のうち、他の一部を透過する半透過部材を更に含むことを特徴とする請求項３２記載の表示装置。
【請求項３４】
前記第２表示パネルの大きさに対応する開口部が形成され、前記半透過部材と前記第２表示パネルとの間に配置され、前記半透過部材を透過した光の一部を反射して前記導光板に出射する反射部材を更に含むことを特徴とする請求項３３記載の表示装置。
【発明の詳細な説明】
【技術分野】
【０００１】
本発明は、導光板と、これを具備したバックライトアセンブリー及び表示装置に係わり、より詳細には表示品質を向上させるための導光板と、これを具備したバックライトアセンブリー及び表示装置に関する。
【背景技術】
【０００２】
一般的に、液晶表示装置は、下部基板と上部基板との間に液晶層を有する液晶パネルを含み、この液晶に電圧を印加して液晶の分子配列を所定の分子配列に変換させて画像を表示する。
【０００３】
液晶表示装置（ＬＣＤ）は、自己発光をしないため、液晶表示パネルを透過した外来光を反射させ情報を表示したり、又は液晶表示パネルの背面に別途の光源、即ち、バックライトアセンブリーを設置して情報を表示する。
【０００４】
このようなバックライトアセンブリーは、光を発散する光源、光源から発散された光を液晶表示パネルの方にガイドする導光板、導光板の下部に設けられ漏洩した光を導光板に反射させる反射シート、導光板から伝達された光の輝度を上昇させる光学シート類、例えば、拡散板及びプリズムシートなどを含む。
【０００５】
光源として発光ダイオード（ＬＥＤ）を用いる中小型液晶表示装置では、発光ダイオードの直線光が導光板の出射面に直接出射されることによって、発光ダイオードに近接した表示パネル領域に輝線及び暗部が発生する問題点がある。
【発明の開示】
【発明が解決しようとする課題】
【０００６】
本発明の技術的な課題は、このような従来の問題点を解決することであり、本発明の目的は、表示品質を向上させるための導光板を提供することにある。
本発明の他の目的は、導光板を具備するバックライトアセンブリーを提供することにある。
【０００７】
本発明のまた他の目的は、バックライトアセンブリーを具備する表示装置を提供することにある。
【課題を解決するための手段】
【０００８】
前述の本発明の目的を実現するための実施例による導光板は、入射面及び第１出射面を含む。前記入射面は、外部から光の入射を受ける。前記第１出射面は、第１領域と第２領域を具備して前記入射面を通じて入射した光のうち、ガイドされた光を出射し、前記第２領域に形成された第１光制御パターンを通じて前記入射した光を前記第１領域の方にガイドする。
【０００９】
望ましくは、前記導光板は、第３領域と第４領域を具備して前記入射面を通じて入射した光のうち、ガイドされた光を出射し、前記第４領域に形成された第２光制御パターンを通じて前記入射した光を前記第３領域の方にガイドする第２出射面を含む。
【００１０】
前記第１光制御パターンは、前記入射面から遠くなるほど分布密度が大きくなり、大きさが小さくなる。前記第１光制御パターンは、前記入射面と平行な方向に溝が形成されたグルーブ形状とすることができ、あるいはドット形状とすることができる。前記第１光制御パターンは、前記第１出射面の基準面から突出し、互いに異なる高さを有する複数のパターンとすることができ、あるいは前記基準面から陥没し、互いに異なる高さを有する複数のパターンとすることができる。
【００１１】
前記第１光制御パターンは、所定の曲率を有し、互いに連結された複数のパターンとすることができ、あるいは一側端部が互いに接する２つの直線で形成された複数のパターンとすることができる。
【００１２】
前述の本発明の他の目的を実現するための実施例によるバックライトアセンブリーは、光源及び導光板を含む。前記光源は光を発生する。前記導光板は入射面に近接した第１領域に第１光制御パターンが形成され、前記光を前記第１光制御パターンによって前記第１領域以外の他の領域に出射させる第１出射面を含む。また、前記第１出射面から出射された第１光の輝度を均一にする第１光学部材を含む。
【００１３】
前記導光板は、前記入射面に近接した第２領域に第２光制御パターンが形成され、前記光を前記第２光制御パターンによって前記第２領域以外の他の領域に出射させる第２出射面を更に含む。前記第２出射面から突出された第２光の輝度を均一にする第２光学部材を更に含む。
【００１４】
望ましくは、前記バックライトアセンブリーは、前記第２出射面から出射した第２光の一部を反射し、前記第２光の他の一部を透過する半透過部材を更に含み、前記光源は複数の点光源であることが好ましい。
【００１５】
前述の本発明のさらに他の目的を実現するための実施例による表示装置は、第１表示パネル及びバックライトアセンブリーを含む。前記第１表示パネルは、画像を表示する第１表示領域と光を遮断する第１遮光領域を具備する。前記バックライトアセンブリーは光源から前記第１表示パネルに前記光を出射し、前記第１遮光領域に対応して第１光制御パターンが形成された第１出射面を具備した導光板を有する。
【００１６】
望ましくは、前記表示装置は画像を表示する第２表示領域と前記光を遮断する第２遮光領域を具備した第２表示パネルを更に含む。前記導光板は、前記第２遮光領域に対応して第２光制御パターンが形成された第２出射面を更に含む。
【００１７】
前記第２出射面から出射した光のうち、一部を反射し、前記光のうち、他の一部を透過する半透過部材を含む。前記第２表示パネルの大きさに対応する開口部が形成され、前記半透過部材と前記第２表示パネルとの間に配置され、前記半透過部材から透過された光の一部を反射して前記導光板に出射する反射部材を含む。
【００１８】
このような導光板と、これを具備したバックライトアセンブリー及び表示装置によると、輝線を改善して外観上の品質低下を防止することができる。
【発明を実施するための最良の形態】
【００１９】
以下、添付した図面を参照して、本発明をより詳細に説明する。
図１は、本発明の実施例によるバックライトアセンブリーに対する概略的な斜視図である。
【００２０】
図１に示すように、バックライトアセンブリーは、光発生部１１０、導光板１２０、反射部材１３０及び光学部材１４０を含む。
光発生部１１０は、印刷回路基板１１１と、複数の発光ダイオード１１２を具備する光源１１２及び可撓性回路基板１１３を含む。印刷回路基板１１１にはダイオード１１２が実装される。可撓性回路基板１１３は、電源供給装置（図示せず）と可撓性回路基板１１１に実装された発光ダイオード１１２を電気的に連結して発光ダイオード１１２に駆動電圧を印加する。勿論、光源１１２は線型のランプとすることもできる。
【００２１】
導光板１２０は、第１反射部材１３０と第２光学部材１４０との間に配置される。導光板１２０の第１面１２２の全体領域には発光ダイオード１１２から入射した光を導光板１２０の第２面１２３に出射させるための印刷パターン及び腐食パターン（図示せず）などが形成される。導光板１２０の第２面１２３には光制御パターン１２３ａが形成される。光制御パターン１２３ａは導光板１２０の入射面に近接した第１領域に形成され、第１領域は導光板１２０上に配置される（図示せず）遮光領域に対応する。光制御パターン１２３ａはグルーブパターン、ドットパターン及び腐食パターンなどであり、入射した光を表示パネルの表示領域にガイドする。
【００２２】
反射部材１３０は、導光板１２０の第１面１２２の下に配置され、導光板１２０から漏洩する光を導光板１２０に反射する。反射部材１３０は、プレート形状とすることができ、シート形状とすることもできる。
【００２３】
光学部材１４０は、導光板１２０の第２面１２３上に配置され、導光板１２０によってガイドされた光の輝度を制御して均一にする。ここで、光学部材１４０は、拡散シート１４１、第１プリズムシート１４２及び第２プリズムシート１４３などを含む。
【００２４】
図２は、図１のＩ−Ｉ’に沿って見た概略的な断面図である。
図１及び図２を参照すると、発光ダイオード１１２から出射した光は導光板１２０によってガイドされ、反射部材１３０及び光学部材１４０に出射される。反射部材１３０は、導光板１２０から漏洩した光を反射し、光学部材１４０は導光板１２０から出射した光の輝度を均一にする。
【００２５】
導光板１２０の第１面１２２の全体領域には腐食パターン及び印刷パターン１２２aが形成され、第２面１２３の第２領域には第２光制御パターン１２３ａが形成される。第２領域は、バックライトアセンブリー上に配置される表示パネル（図示せず）の遮光領域（ＢＭ）に対応する。光制御パターン１２３ａは、入射面１２１から遠くなるほどパターンの大きさが小さくなり、パターンの密度が大きくなることが好ましい。
【００２６】
具体的に、導光板１２０の入射面１２１に入射した光のうち、導光板１２０の第２面１２３に直接入射した第１光（Ａ）は、導光板１２０の第２面１２３に形成された光制御パターン１２３ａによって第２光（Ｂ）としてガイドされる。第２光（Ｂ）は導光板１２０の第１面１２２に形成された腐食パターン１２２ａなどによって第３光（Ｃ）として導光板１２０の第２面１２３側にガイドされる。第２面１２３から出射される第４光（Ｄ）は、光学部材１４０によって第５光（Ｅ）に集光されて出射される。
【００２７】
図示するように、導光板１２０の第２面１２３に直接入射する第１光（Ａ）は、光制御パターン１２３ａによって第５光（Ｅ）としてガイドされて出射する。反面、光制御パターン１２３ａが存在しない場合、第２面１２３に直接入射した第１光（Ａ）は、第６光（Ａ’としてガイドされて輝線を発生する。
【００２８】
したがって、第１光（Ａ）は光制御パターン１２３ａによって表示領域（ＤＡ）側にΔＷだけシフトして出射される。
以下、導光板に形成された光制御パターンに対する多様な実施例を説明する。
【００２９】
図３は、図１の導光板に対する第１実施例による斜視図である。
図３に示すように、導光板３２０は光源３１２から出射される光をガイドして出射面３２２に出射する。具体的に、導光板３２０の出射面３２２にはグルーブ形状の光制御パターン３２２ａが形成される。光制御パターン３２２ａは、導光板３２０上に配置される表示パネル（図示せず）の遮光領域（ＢＭ）に対応して形成される。
【００３０】
光パターン３２２ａは、断面形状が波形状であり、導光板３２０の入射面３２１から遠くなるほど大きさ及び密度を多様に形成することができる。光制御パターン３２２ａは、導光板３２０の入射面３２１から遠くなるほど大きさが小さくなり、密度が大きくなるように形成することが好ましい。また、光制御パターン３２２ａは、同じ大きさと密度で形成することができる。また、光パターン３２２ａは、入射面３２１から遠くなるほど大きさと密度を大きく形成することもできる。また、光制御パターン３２２ａの断面形状をプリズムの山形状とすることもできる。
【００３１】
図４は図１の導光板に対する第２実施例による斜視図である。
図４に示すように、導光板３３０の出射面３３２にはドット形状の光制御パターン３３２ａが形成される。光制御パターン３３２ａは導光板３３０上に配置される表示パネル（図示せず）の遮光領域（ＢＭ）に形成される。
【００３２】
光制御パターン３３２ａは、断面形状を四角形状とすることができ、導光板３３０の入射面３３１から遠くなるほど大きさ及び密度を多様に形成することができる。光制御パターン３３２ａは、導光板３３０の入射面３３１から遠くなるほど大きさが小さく、密度が大きくなるように形成することが好ましい。また、光制御パターン３３２ａは同じ大きさと密度で形成することができる。また、光制御パターン３３２ａは、入射面３３１から遠くなるほど大きさと密度を大きく形成することもできる。また、光制御パターン３３２ａの断面は円形状とすることもできる。
【００３３】
図５は、図１の導光板に対する第３実施例による斜視図である。
図５に示すように、導光板３４０の出射面３４２には腐食パターン３４２ａが形成される。腐食パターン３４２ａは、導光板３４０上に配置される表示パネル（図示せず）の遮光領域（ＢＭ）に形成される。
【００３４】
腐食パターン３４２ａは、多様な大きさ及び密度で形成される。望ましくは、腐食パターン３４２ａは、導光板３４０の入射面３４１から遠くなるほど大きさが小さくなり、密度が大きくなるように形成することが好ましい。
【００３５】
図６は、図１の導光板に対する第４実施例による斜視図である。
図６に示すように、導光板３５０の出射面３５２には円弧形状の光制御パターン３５２ａが形成される。光制御パターン３５２ａは、導光板３５０上に配置される表示パネル（図示せず）の遮光領域（ＢＭ）に形成される。
【００３６】
光制御パターン３５２ａは、点光源である複数の発行ダイオード３１０に各々対応する複数の円弧形状の溝で構成されたグルーブパターンで形成される。即ち、円弧の中心線は、発行ダイオード３１０に対応する。したがって、発光ダイオード３１０に対応する。したがって、発光ダイオード３１０から出射する放射状の光（ａ，ｂ，ｃ）は、円弧形状のパターンによって均一に分布して入射する。
【００３７】
望ましくは、光制御パターン３５２ａは、導光板３５０の入射面３５１から分布密度が大きくなるように形成することが好ましい。また、光制御パターン３５２ａは、同じ密度で形成することができる。また、光制御パターン３５２ａは、入射面３５１から遠くなるほど分布密度が小さくなるように形成することもできる。また、光制御パターン３５２ａは、出射面３５２の基準面から互いに異なる高さで突出、あるいは陥没するように形成することができる。また、光制御パターン３５２ａの断面形状は円形とすることができ、あるいはプリズムの山形状とすることができる。
【００３８】
図７は、図１の導光板に対する第５実施例による斜視図である。
図７に示すように、導光板３６０の出射面３５２には光制御パターン３６２ａが形成される。光制御パターン３６２ａは、一側端部が互いに接した２つの直線で形成された複数のパターンで形成される。光制御パターン３６２ａは、導光板３６０上に配置される表示パネル（図示せず）の遮光領域（ＢＭ）に形成される。
【００３９】
光制御パターン３６２ａは、点光源である複数の発行ダイオード３１１に各々対応する複数の直線形状の溝で形成されたグルーブパターンである。即ち、直線形状の直線パターンの中心線は、発行ダイオード３１１に対応する。したがって、発光ダイオード３１１から出射する放射状の光（ａ’，ｂ’，ｃ’）は、直線パターンによって均一に分布して入射する。
【００４０】
望ましくは、光制御パターン３６２ａは、導光板３６０の入射面３６１から分布密度が大きくなるように形成される。また、光制御パターン３６２ａは、同じ密度で形成することができる。また、光制御パターン３６２ａは、入射面３６１から遠くなるほど分布密度が小さくなるように形成することもできる。また、光制御パターン３６２ａは出射面３６２の基準面から互いに異なる高さで突出、あるいは陥没するように形成することができる。また、光制御パターン３６２ａの断面形状は円形とすることができ、あるいはプリズムの山形状とすることができる。
【００４１】
図８は、本発明の実施例による導光板の製造方法を説明するための製造装置の断面図である。
図８に示すように、製造装備３８０は、下部金型３８１と上部金型３８２を含む。下部金型３８１には腐食パターンなどのようなパターン（図示せず）が形成され、上部金型３８２にはグルーブパターン３８２ａが形成される。グルーブパターン３８２ａは発光体オード（ＬＥＤ）の位置と隣接した表示パネルの遮光領域に対応する。
【００４２】
下部金型３８１及び上部金型３８２は、キャビティ３８４を有する。キャビティ３８４に合成樹脂３８６が充填されて導光板の本体が形成される。ここで、グルーブパターン３８２ａの形状は、図３〜図５で説明されたように、ドットパターン、腐食パターンなどのように多様な形状に形成することができる。
【００４３】
図９は、本発明の第１実施例による表示装置に対した分解斜視図として、図１に図示されたバックライトアセンブリーを含む。
図９に示すように、表示装置はバックライトアセンブリー１００と、ディスプレイアセンブリー２００を含む。
【００４４】
バックライトアセンブリー１００は、収納容器１０１と、光発生部１１０と、導光板１２０と、反射部材１３０及び光学部材１４０を含む。
収納容器１０１は、光発生部１１０と、導光板１２０と、反射部材１３０及び光学部材１４０を収納する。
【００４５】
光発生部１１０は、複数の発光ダイオード１１２と発光ダイオード１１２が実装された印刷回路基板１１１を含む。
導光板１２０の出射面１２３には、光制御パターン１２３ａが形成され、光制御パターン１２３ａは、導光板１２０の入射面に近接した第１領域に形成され、第１領域は表示パネルの遮光領域（ＢＭ）に対応する。
【００４６】
光制御パターン１２３ａは、グルーブパターン、ドットパターン及び腐食パターンなどで形成され、入射した光を表示パネルの表示領域（ＤＡ）にガイドする。
反射部材１３０は、導光板１２０の下に配置され、導光板１２０から漏洩する光を導光板１２０に反射させる。
【００４７】
光学部材１４０は、導光板１２０上に配置され、導光板１２０から出射した光の輝度を均一にする。ここで、光学部材１４０は、拡散シート１４１、第１プリズムシート１４２及び第２プリズムシート１４３などを含む。
【００４８】
ディスプレイアセンブリー２００は、表示パネル２１０と、駆動チップ２２０と、可撓性回路基板２３０及び印刷回路基板２４０を含む。
表示パネル２１０は、アレイ基板２１１と、カラーフィルター基板２１２と、液晶層２１３を含み、バックライトアセンブリー１００から光を受けて液晶の電気光学的な特性によって画像を表示する。
【００４９】
アレイ基板２１１は、ゲートラインとデータラインによって定義される画素を含む表示領域（ＤＡ）と、表示領域（ＤＡ）の周辺領域（ＰＡ）を具備する。カラーフィルター基板２１２は、画素に対応してカラーフィルターが形成された表示領域（ＤＡ）と、遮光のための遮光領域（ＢＭ）を具備する。
【００５０】
駆動チップ２２０は、周辺領域（ＰＡ）に実装される単一チップであり、可撓性回路基板２３０から伝送されたデータ信号と制御信号に基づいて表示領域（ＤＡ）のデータラインとゲートラインに駆動信号を印加する。
【００５１】
可撓性回路基板２３０は、駆動チップ２２０と印刷回路基板２４０を電気的に連結し、印刷回路基板２４０から印加されるデータ信号及び制御信号を駆動チップ２２０に伝達する。
【００５２】
図１０は、本発明の他の実施例によるバックライトアセンブリーに対する概略的な斜視図である。
図１０に示すように、バックライトアセンブリーは光発生部４１０、導光板４２０、半透過部材４３０及び第１光学部材４４０及び第２光学部材４５０を含む。
【００５３】
光発生部４１０は、印刷回路基板４１１と、複数の発光ダイオードで構成された光源４１２及び可撓性回路基板４１３を含む。印刷回路基板４１１には発光ダイオード４１２が実装される。可撓性回路基板４１３は、電源供給装置（図示せず）と印刷回路基板４１１に実装された発光ダイオード１１２を電気的に接続し、発光ダイオード４１２に駆動電圧を印加する。勿論、光源４１２は線形ランプとすることもできる。
【００５４】
導光板４２０は、第１光学部材４４０と第２光学部材４５０との間に配置される。導光板４２０の第１面４２２には発光ダイオード４１２から入射した光を導光板４２０の第２面４２３にガイドする印刷パターン及び腐食パターン（図示せず）などが全面に形成される。第１面４２２には導光板４２０の入射面４２１と近接した第１領域に第１光制御パターン４２２ａが形成される。第１領域は、導光板４２０の第１面４２２の下に配置される第２表示パネルの第２遮光領域に対応する。
【００５５】
導光板４２０の第２面４２３には第２光制御パターン４２３ａが形成される。第２光制御パターン４２３ａは、入射面４２１に近接した第２領域に形成され、第２領域は導光板４２０の第２面４２３上に配置される第１表示パネルの第１遮光領域に対応する。第１制御パターン４２２ａ及び第２光制御パターン４２３ａは、グルーブパターン、ドットパターン及び腐食パターンなどであり、入射された光を第１表示パネルの第１表示領域及び第２表示パネルの第２表示領域に各々ガイドする。
【００５６】
半透過部材４３０は、導光板４２０の第１面４２２の下に配置され、導光板４２０から出射された光を導光板４２０の第２面４２３に反射させたり、あるいは第１面４２２に透過させる。半透過部材４３０はプレート形状を有することもでき、シート形状を有することもできる。
【００５７】
第１光学部材４４０は、導光板４２０の第２面上に配置され、導光板４２０の第２面４２３から出射された光の輝度を向上させる。第１光学部材４４０は、拡散シート４４１、第１プリズムシート４４２及び第２プリズムシート４４３などを含む。
【００５８】
第２光学部材４５０は、導光板４２０の第１面４２２の下に配置され、導光板４２０の第１面４２２から出射された光の輝度を向上させる。即ち、半透過部材４３０を透過した光の輝度を向上させる。第２光学部材４５０は、拡散シート４５１、第１プリズムシート４５２及び第２プリズムシート４５３などを含む。
【００５９】
図１１は、本発明のさらに他の実施例によるバックライトアセンブリーの概略的な斜視図である。
図１１に示すように、バックライトアセンブリーは、光発生部４１０、導光板４２０、半透過部材４３０、反射部材４３５、第１光学部材４４０及び第２光学部材４５０を含む。図１０と同じ部材に対しては同じ図面符号を付与し、詳細な説明は省略する。
【００６０】
反射部材４３５は、第２光学部材４５０の下に配置される第２表示パネル（図示せず）の大きさに対応する開口部４３５ａが形成される。反射部材４３５は、半透過部材４３０を透過した光を半透過部材４３０、すなわち導光板４２０側に反射させる。開口部４３５ａによって半透過部材４３０から透過された光の一部は第２表示パネルに提供される。
【００６１】
反面、半透過部材４３０を透過した光のうち、第２表示パネルが占める領域以外を透過する光を導光板４２０側に再び反射させることで光の活用を向上させる。
図１２は、図１０のII-II'に沿って見た概略的な断面図である。
【００６２】
図１０及び図１２に示すように、発光ダイオード４１２から出射した光は導光板４２０の入射面４２１に入射する。導光板４２１は入射した光を第１面４２２及び第２面４２３にガイドする。
【００６３】
第１面４２２の全体領域には、印刷パターン及び腐食パターンなどが形成され、入射面４２１と近接した第１領域には第１光制御パターン４２２ａが形成される。第１領域は、導光板４２０の第１面４２２の下に配置される第２表示パネルの第１遮光領域に対応する。第２面４２３には、第２光制御パターン４２３ａが形成される。第２光制御パターン４２３ａは、入射面４２１と近接した第２領域に形成される。第２領域は、導光板４２０の第２面４２３上に配置される第１表示パネルの第２遮光領域に対応する。
【００６４】
第１光制御パターン４２２ａ及び第２光制御パターン４２３ａは、グルーブパターン、ドットパターン及び腐食パターンなどの多様な大きさと密度で形成される。望ましくは、第１光制御パターン４２２ａ及び第２光制御パターン４２３ａは、入射面４２１から遠くなるほどパターンの大きさが小さくなり、パターンの密度が大きくなるように形成することが好ましい。
【００６５】
導光板４２０の第１面４２２に出射した光のうち、一部の光は半透過部材４３０により反射されて導光板４２０に入射し、残りの光は半透過部材４３０を透過して第２光学部材４５０に入射する。残りの光は、第２光学部材４５０によって輝度が向上する。導光板４２０の第２面４２３から出射した光は、第２光学部材４５０によって輝度が形成される。
【００６６】
以下では、発光ダイオード４１２から出射した光が第１光制御パターン４２２ａ及び第２光制御パターン４２３ａによって経路が制御される過程を説明する。
まず、入射面４２１に入射した光のうち、導光板４２０の第２面４２３に直接入射した第１光（Ｆ）は、導光板４２０の第２面４２３に形成された第２光制御パターン４２３ａによって第２光（Ｇ）としてガイドされる。第２光（Ｇ）は、導光板４２０の第１面４２２に形成された第１光制御パターン４２２ａによって第３光（Ｈ）としてガイドされ、第４光（Ｉ）として出射する。第４光（Ｉ）は、第１光学部材４４０で集光されて第５光（Ｊ）として出射される。
【００６７】
このように、導光板４２０の第２面４２３に直接入射する第１光（Ｆ）は、第２光制御パターン４２３ａによって第５光（Ｊ）としてガイドされて出射する。反面、第２光制御パターン４２３ａが存在しない場合、第２面４２３に直接入射した第１光（Ｆ）は第６光（Ｆ’）として出射されて輝線を発生する。
【００６８】
したがって、第１光（Ｆ）は、第２光制御パターン４２３ａによって第１表示領域（ＤＡ１）側にΔＷＦだけシフトされて出射することとなる。
一方、入射面４２１に入射した光のうち、導光板４２０の第１面４２２に直接入射した第７光（Ｋ）は、導光板４２０の第１光制御パターン４２２ａによって第８光（Ｌ）としてガイドされる。第８光（Ｌ）は、導光板４２０の第２面４２３を通じて一部は出射し、残りの一部である第９光（Ｍ）は反射される。第９光（Ｍ）は、導光板４２０によってガイドされ、第１０光（Ｎ）として導光板４２０の第１面４２２を通じて出射する。第１０光（Ｎ）の一部は、半透過部材４３０によって反射され、他の一部である第１１光（Ｏ）は透過する。第１１光（Ｏ）は、第２光学部材４５０で集光されて均一の光分布を有する第１２光（Ｐ）として出射される。
【００６９】
このようにして、導光板４２０の第２面４２３に直接入射する第７光（Ｋ）は、第１光制御パターン４２２ａによって第１２光（Ｐ）としてガイドされて出射する。反面、第１光制御パターン４２２ａが存在しない場合、第1面４２２に直接入射した第７光（Ｋ）は、第１３光（Ｋ’）に出射されて輝線を発生する。
【００７０】
したがって、第７光（Ｋ）は第１光制御パターン４２２ａによって第２表示領域（ＤＡ２）側にΔＷＲだけシフトされて出射する。
以下、導光板に形成された光制御パターンに対する多様な実施例を説明する。
【００７１】
図１３は、図１０の導光板に対する第１実施例による断面図である。
図１３に示すように、導光板６２０は、第１面６２２と第２面６２３を含む。第１面６２２の全体領域には、腐食パターン及び印刷パターンなどが形成され、グルーブ形状の第１光制御パターン６２２ａが形成される。第１光制御パターン６２２ａは導光板６２０の入射面６２１に近接した第１面６２２の第１領域に形成される。第１領域は、導光板６２０の下に配置される第２表示パネル（図示せず）の第２遮光領域（ＢＭ２）に対応する。
【００７２】
第２面６２３には、グルーブ形状の第２光制御パターン６２３ａが形成される。第２光制御パターン６２３ａは、入射面６２１に近接した第２面６２３の第２領域に形成される。第２領域は、導光板６２０上に配置される第１表示パネル（図示せず）の第１遮光領域（ＢＭ１）に対応する。
【００７３】
第１光制御パターン６２２ａ及び第２光制御パターン６２３ａは、断面形状が波形状であり、入射面６２１から遠くなるほど大きさ及び密度を多様に形成することができる。望ましくは、入射面６２１から遠くなるほど大きさが小さくなり、密度が大きくなるように形成することが好ましい。また、第１光制御パターン６２２ａ及び第２光制御パターン６２３ａは、同じ大きさと密度で形成することもできる。また、第１光制御パターン６２２ａ及び第２光制御パターン６２３ａは入射面６２１から遠くなるほど大きさと密度を大きく形成することもできる。また、第１光制御パターン６２２ａ及び第２光制御パターン６２３ａの断面形状は、プリズムの山形状とすることもできる。
【００７４】
図１４は、図１０の導光板に対する第２実施例による断面図である。
図１４に示すように、導光板６３０は、第１面６３２と第２面６３３を含む。第１面６３２の全体領域には腐食パターン及び印刷パターンなどが形成され、ドット形状の第１光制御パターン６３２ａが形成される。第１光制御パターン６３２ａは導光板６３０の入射面６３１に近接した第１面６３２の第１領域に形成される。第１領域は、導光板６３０の下に配置される第２表示パネル（図示せず）の第２遮光領域（ＢＭ２）に対応する。
【００７５】
第２面６３３には、ドット形状の第２光制御パターン６３３ａが形成される。第２光制御パターン６３３ａは、入射面６３１に近接した第１面６３３の第２領域に形成される。第２領域は、導光板６３０上に配置される第１表示パネル（図示せず）の第１遮光領域（ＢＭ１）に対応する。
【００７６】
第１光制御パターン６３２ａ及び第２光制御パターン６３３ａは四角形状であり、入射面６３１から遠くなるほど大きさと密度を多様に形成することができる。望ましくは、入射面６３１から遠くなるほど大きさが小さくなり、密度が大きくなるように形成することが好ましい。また、第１光制御パターン６３２ａ及び第２光制御パターン６３３ａは、同じ大きさと密度で形成することができる。また、第１光制御パターン６３２ａ及び第２光制御パターン６３３ａは入射面６３１から遠くなるほど大きさと密度を大きく形成することもできる。また、第１光制御パターン６３２ａ及び第１光制御パターン６３３ａの断面形状は円形状とすることもできる。
【００７７】
図１５は、図１０の導光板に対する第３実施例による断面図である。
図１５に示すように、導光板６４０は第１面６４２と第２面６４３を含む。第１面６４２の全体領域には腐食パターン及び印刷パターンなどが形成され、ドット形状の第１光制御パターン６４２ａが形成される。第１光制御パターン６４２ａは、導光板６４０の入射面６４１に近接した第１面６４２の第１領域に形成される。第１領域は、導光板６４０の下に配置される第２表示パネル（図示せず）の第２遮光領域（ＢＭ２）に対応する。
【００７８】
第２面６４３には、ドット形状の第２光制御パターン６４３ａが形成される。第２光制御パターン６４３ａは、入射面６４１に近接した第２面６４３の第２領域に形成される。第２領域は、導光板６４０上に配置される第１表示パネル（図示せず）の第１遮光領域（ＢＭ１）に対応する。
【００７９】
第１光制御パターン６４２ａ及び第２光制御パターン６４３ａは、多様な大きさ及び密度で形成される。望ましくは、第１光制御パターン６４２ａ及び第２光制御パターン６４３ａは、導光板６４０の入射面６４１から遠くなるほど大きさが小さくなり、密度が大きくなるように形成することが好ましい。
【００８０】
また、図示していないが、前述した図６の光制御パターン３５２ａ及び図７の光制御パターン３６２ａと同じ形状で図１０の導光板の第１出射面及び第２出射面に第１光制御パターン４２２ａ及び第２光制御パターン４２３ａを形成することができる。
【００８１】
図１６は、本発明の実施例による導光板の製造方法を説明するための製造装備の断面図である。
図１６を参照すると、製造装備６５０は下部金型６５１と上部金型６５２を含む。下部金型６５１には、第１グルーブパターン６５２ａが形成され、上部金型６５２には第２グルーブパターン６５３ａが形成される。第１グルーブパターン６５２ａ及び第２グルーブパターン６５３ａは、発光ダイオード（ＬＥＤ）の位置と隣接した第１表示パネル及び第２表示パネルの第１遮光領域ＢＭ１及び第２遮光領域ＢＭ２に各々対応する。
【００８２】
下部金型６５１及び上部金型６５２は、キャビティ６５４を有する。キャビティ６５４に合成樹脂６５６が充填されて導光板の本体が形成される。ここで、第１グルーブパターン６５２ａ及び第２グルーブパターン６５３ａの形状は、図１０〜図１２で説明したように多様な形状に形成することができる。また、第１グルーブパターン６５２ａ及び第２グルーブパターン６５３ａの形状は互いに異なるように形成することもできる。
【００８３】
図１７は、本発明の第２実施例による表示装置に対する分解斜視図であり、図８のバックライトアセンブリーを含む。
図１７に示すように、表示装置はバックライトアセンブリー４００と第１ディスプレイアセンブリー５００−１及び第２ディスプレイアセンブリー５００−２を含む。
【００８４】
バックライトアセンブリー４００は、光発生部４１０、導光板４２０、半透過部材４３０、第１光学部材４４０、第２光学部材４５０、第１収納容器４６０及び第２収納容器４７０を含む。
【００８５】
光発生部４１０は、複数の発光ダイオード４１２と発光ダイオード４１２が実装された印刷回路基板４１１を含む。
導光板４２０は、第１面４２２と第２面４２３を含む。第１面４２２の全体領域には腐食パターン及び印刷パターンなどが形成され、第１光制御パターン４２２ａが形成される。第１光制御パターン４２２ａは、導光板４２０の入射面に近接した第１面４２２の第１領域に形成される。第１領域は、導光板４２０の下に配置される第２表示パネル５６０の第２遮光領域（ＢＭ２）に対応する。
【００８６】
第２面４２３には、グルーブ形状の第２光制御パターン４２３ａが形成される。第２光制御パターン４２３ａは、入射面に近接した第２面４２３の第２領域に形成される。第２領域は、導光板４２０上に配置される第１表示パネル５１０の第１遮光領域（ＢＭ１）に対応する。
【００８７】
第１光制御パターン４２２ａ及び第２光制御パターン４２３ａは、グルーブパターン、ドットパターン及び腐食パターンなどで形成され、入射した光を第１ディスプレイアセンブリー５００−１及び第２ディスプレイアセンブリー５００−２にガイドする。
【００８８】
半透過部材４３０は、導光板４２０の下に配置され、導光板４２０から漏洩する光を反射させたり、あるいは透過させる。即ち、半透過部材４３０で反射した光は導光板４２０側にガイドされ、半透過部材４３０を透過した光は第２光学部材４５０側にガイドされる。
【００８９】
第１光学部材４４０は、導光板４２０上に配置され、導光板４２０によってガイドされた第１光の輝度を向上させる。ここで、第１光学部材４４０は、拡散シート４４１、第１プリズムシート４４２及び第２プリズムシート４４３などを含む。
【００９０】
第２光学部材４５０は、導光板４２０の下に配置され、導光板４２０によってガイドされた第２光の輝度を向上させる。ここで、第２光学部材４５０は、拡散シート４５１、第１プリズムシート４５２及び第２プリズムシート４５３などを含む。
【００９１】
第１収納容器４６０は、第１底面４６１及び第１底面４６１から延長又は配置された第１側壁（図示せず）を含み、第１底面４６１及び第１側壁（図示せず）によって第１収納空間が形成される。第１収納空間には、光発生部４１０、導光板４２０、反射部材４３０、第１光学部材４４０及び第１ディスプレイアセンブリー５００−１が収納され、また、第２光学部材４５０をガイドする。
【００９２】
第２収納容器４７０は、第２底面４７２及び第２底面４７２から延長又は配置された第２側壁（図示せず）を含み、第２底面４７２及び第２側壁（図示せず）によって第２収納空間が形成される。第２底面４７２には第２ディスプレイアセンブリー５００−２が配置される位置及び大きさに対応して開口部４７１が形成される。開口部４７１によってバックライトアセンブリー４００から出射した光は、底面４７２の背面に配置された第２ディスプレイアセンブリー５００−２に提供される。
【００９３】
第２収納容器４７０は、第１収納容器４６０及び第２光学部材４５０を収納する。
第１ディスプレイアセンブリー５００−１は、第１表示パネル５１０と、駆動チップ５２０と、第１可撓性回路基板５３０及び印刷回路基板５４０を含む。
【００９４】
第１表示パネル５１０は、第１アレイ基板５１１と、第１カラーフィルター基板５１２と、液晶層５１３を含み、バックライトアセンブリー４００から出射した第１光を受けて液晶の電気光学的特性によって画像を表示する。
【００９５】
第１アレイ基板５１１は、ゲートラインとデータラインによって定義される画素を含む第１表示領域（ＤＡ１）と、第１周辺領域（ＰＡ１）を具備する。第１カラーフィルター基板５１２は、画素に対応してカラーフィルターが形成された第１表示領域（ＤＡ１）に対応する領域と、光を遮断する第１遮光領域（ＢＭ１）を含む。
【００９６】
駆動チップ５２０は、第１周辺領域（ＰＡ１）に実装される単一チップであり、第１可撓性回路基板５３０から伝送されたデータ信号と制御信号に基づいて第１表示領域（ＤＡ１）のデータラインとゲートラインに駆動信号を印加する。
【００９７】
第１可撓性回路基板５３０は、駆動チップ５２０と印刷回路基板５４０を電気的に連結し、印刷回路基板５４０から印加されるデータ信号及び制御信号を駆動チップ５２０に伝達する。
【００９８】
第２ディスプレイアセンブリー５００−２は、第２可撓性回路基板５５０及び第２表示パネル５６０を含む。第２可撓性回路基板５５０は、第１表示パネル５１０と第２表示パネル５６０を電気的に連結する。第２可撓性回路基板５５０は、第１表示パネル５１０から駆動信号を第２表示パネル５６０に伝達する。
【００９９】
第２表示パネル５６０は、第２アレイ基板５６１と、第２カラーフィルター基板５６２と、液晶層５６３を含み、バックライトアセンブリー４００から出射された第２光を受けて液晶の電気光学的特性によって画像を表示する。
【０１００】
第２アレイ基板５６１は、ゲートラインとデータラインによって定義される画素を含む第２表示領域（ＤＡ２）を含む。第２カラーフィルター基板５６２は、画素に対応してカラーフィルターが形成された第２表示領域（ＤＡ２）と、光を遮断するための第２遮光領域（ＢＭ２）を含む。
【産業上の利用可能性】
【０１０１】
以上で説明したように、本発明によると、光源の位置と隣接した導光板の出射面の一部分に光制御パターンを形成することで、光源から出射した直線光が導光板の出射面に直接出射することを防止する。したがって、光源に近接した表示パネルに発生する輝線及び暗部を除去することができる。
【０１０２】
以上、本発明の実施例によって詳細に説明したが、本発明はこれに限定されず、本発明が属する技術分野において通常の知識を有するものであれば本発明の思想と精神を離脱することなく、本発明を修正または変更できる。
【図面の簡単な説明】
【０１０３】
【図１】本発明の第１実施例によるバックライトアセンブリーに対する概略的な斜視図である。
【図２】図１のＩ−Ｉ’に沿って見た概略的な断面図である。
【図３】図１の導光板に対する第１実施例による斜視図である。
【図４】図１の導光板に対する第２実施例による斜視図である。
【図５】図１の導光板に対する第３実施例による斜視図である。
【図６】図１の導光板に対する第４実施例による平面図である。
【図７】図１の導光板に対する第５実施例による平面図である。
【図８】図３の導光板の製造方法を説明するための製造装備の断面図である。
【図９】本発明の第１実施例による表示装置に対する概略的な斜視図である。
【図１０】本発明の第２実施例によるバックライトアセンブリーに対する概略的な斜視図である。
【図１１】本発明の第３実施例によるバックライトアセンブリーに対する概略的な斜視図である。
【図１２】図１０のII−II’に沿って見た概略的な断面図である。
【図１３】図１０の導光板に対する第１実施例による断面図である。
【図１４】図１０の導光板に対する第２実施例による断面図である。
【図１５】図１０の導光板に対する第３実施例による断面図である。
【図１６】図１０の導光板の製造方法を説明するための製造装備の断面図である。
【図１７】本発明の第２実施例による表示装置に対する概略的な斜視図である。
【符号の説明】
【０１０４】
１００、４００    バックライトアセンブリー
１０１    収納容器
１１０、４１０    光発生部
１１１、２４０、４１１、５４０    印刷回路基板
１１２、３１０、３１１、４１２    発光ダイオード
１１３、２３０、４１３    可撓性回路基板
１２０、３２０、３３０、３４０、３５０、３６０、４２０、６２０、６３０、６４０    導光板
１２１、３２１、３３１、３４１、３５１、３６１、４２１、６２１、６３１、６４１    入射面
１２３、３２２、３３２、３４２、３５２、３６２    出射面
１３０、４３５    反射部材
１４０    光学部材
１４１、４４１、４５１    拡散シート
１４２、４４２、４５２    第１プリズムシート
１４３、４４３、４５３    第２プリズムシート
２００    ディスプレイアセンブリー
２１０    表示パネル
２１１    アレイ基板
２１２    カラーフィルター基板
２１３、５６３    液晶層
２２０、５２０    駆動チップ
３１２、４１２    光源
３８０、６５０    製造装備
３８１、６５１    下部金型
３８２、６５２    上部金型
３８４、６５４    キャビティ
３８６、６５６    合成樹脂
４３０    半透過部材
４４０    第１光学部材
４５０    第２光学部剤
４６０    第１収納容器
４７０    第２収納容器
４７１    開口部
５１０    第１表示パネル
５６０    第２表示パネル
【図１】
2006120591.tif 000003
【図２】
2006120591.tif 000004
【図３】
2006120591.tif 000005
【図４】
2006120591.tif 000006
【図５】
2006120591.tif 000007
【図６】
2006120591.tif 000008
【図７】
2006120591.tif 000009
【図８】
2006120591.tif 000010
【図９】
2006120591.tif 000011
【図１０】
2006120591.tif 000012
【図１１】
2006120591.tif 000013
【図１２】
2006120591.tif 000014
【図１３】
2006120591.tif 000015
【図１４】
2006120591.tif 000016
【図１５】
2006120591.tif 000017
【図１６】
2006120591.tif 000018
【図１７】
2006120591.tif 000019